(57)【要約】【課題】幼児や高齢者、手の不自由な人などでも安全且つ容易に、しかも片手のみで簡単に開封することができるとともに、様々な種類の紙パック容器に広汎に対応可能で、さらには安価に製造可能な単純構造の飲料用紙パック容器の開封具を提供する。【解決手段】紙パック容器２１の合掌部２２に着脱自在に取付可能な左右一対の挾着腕部２，３と、その挾着腕部２，３の下方に配置されたほぼナイフ型の開封板４とを持手部１の前方に突設し、さらにその持手部１または開封板４に開口爪５を設けて成る開封具であって、前記した一対の挾着腕部２，３を合掌部２２の横幅寸法よりやや短く形成するとともに、その挾着腕部２，３の前端部２ａ，３ａを支点として上方へ回動させることにより、合掌部２２における封止片同志を、前記開封板４によって引き剥がすように構成する。【選択図】　　図１
2004115122.tif 000002
【特許請求の範囲】
【請求項１】
紙パック容器の合掌部に着脱自在に取付可能な左右一対の挾着腕部と、その挾着腕部の下方に配置されたほぼナイフ型の開封板とを、持手部の前方に突設して成る開封具であって、前記した一対の挾着腕部を合掌部の横幅寸法よりやや短く形成するとともに、その挾着腕部の前端部を支点として上方に回動させることにより、合掌部における封止片同志を、前記開封板によって引き剥がすように構成したことを特徴とする紙パック容器の開封具。
【請求項２】
上記した持手部または開封板に開口爪を形成したことを特徴とする請求項１に記載の紙パック容器の開封具。
【発明の詳細な説明】
【０００１】
【発明の属する技術分野】
本発明は、牛乳、果汁、酒等が収容された紙パック容器の注ぎ口を、簡単容易に開口可能とした紙パック容器の開封具に関するものである。
【０００２】
【従来の技術】
通常の紙パック容器は、前後の外側封止片と左右の折合せ封止片（これを一括して封止片と称する）を接着封止して成る合掌部に、牛乳等を流出させるための注ぎ口が設けられているので、注ぎ口側の外側封止片を両手で押し広げ、内側に折り込まれた折合せ封止片を手前に引き出すことによって開口するようになっている。しかしながら力の弱い幼児や高齢者、両手を自由に使用できない手障害者などが、上記の操作を行なうことは非常に困難であるので、誰でも簡単容易に開封することができる紙パック容器の開封具の開発が待たれていた。
【０００３】
そうした要請に応えるために、紙パック容器の開口部付近に弾性層を固着し、別途に固着された引張り片を引張ることによって開口するように構成した「紙パック容器の開口方法」が、特開平６−２４４３８号公報で提案されており、また握り部分の先に鋭利に尖った刃を取付けた構造の「紙パックカッター」が、特開２００１−２９３２６８号公報において開示されている。
【０００４】
【発明が解決しようとする課題】
しかしながら上記した特開平６−２４４３８号公報の紙パック容器の開口方法は、構造がシンプルで安価に製造できるという利点はあるが、このような開口手段を採用していない他メーカー品については、消費者が別途な開封具を用意しなければならないという顕著な欠点があった。
【０００５】
また上記した特開２００１−２９３２６８号公報の紙パックカッターは、両手を用いて大きな力を加える必要があるので、特に幼児や高齢者、片手の不自由な人などが使用する場合に、小さな力で簡易に開封を行うことができないという構造上の問題点があるばかりでなく、鋭利に尖った刃が非常に危険であり、且つ刃の一部が欠落して飲料物に混入する恐れもあるので、安全性の面で極めて重大な問題点があり、さらには構造が複雑なためにコスト高になるという大きな欠点もあった。
【０００６】
そこで本発明は、牛乳、果汁、酒等が収容された紙パック容器を、幼児や高齢者、手の不自由な人などでも安全且つ容易に開封することができ、しかも様々な種類の容器に広汎に対応可能とするとともに、安価に製造可能な単純構造の紙パック容器の開封具を提供しようとするものである。
【０００７】
【課題を解決するための手段】
本発明は、紙パック容器２１の合掌部２２に着脱自在に取付可能な左右一対の挾着腕部２，３と、その挾着腕部２，３の下方に配置されたほぼナイフ型の開封板４とを、持手部１の前方に突設して成る開封具であって、前記した一対の挾着腕部２，３を合掌部２２の横幅寸法よりやや短く形成するとともに、その挾着腕部２，３の前端部２ａ，３ａを支点として上方へ回動させることにより、合掌部２２における外側封止片２２ａ，２２ａおよび折合せ封止片２２ｂを、前記開封板４によって引き剥がすように構成したものである。
【０００８】
また本発明は、上記した持手部１の後部下面または開封板４の前側下部に開口爪５を設けた構成とするものである。
【０００９】
【発明の実施の形態】
本発明の開封具を使用する場合は、まず一対の挾着腕部２，３の内側に紙パック容器２１の合掌部２２を挿入し、該合掌部２２に両挾着腕部２，３を外嵌させた後、挾着腕部２，３のそれぞれの前端部２ａ，３ａを支点として、梃子の原理を応用して持手部１を上方向に回動させると、開封板４が、合掌部２２を構成する外側封止片２２ａ，２２ａおよび折合せ封止片２２ｂの接着部分に侵入し、且つ両者を引き剥がしながら回動するので、前記した各封止片を分離させることができるようになっている。そして折合せ封止片２２ｂの中央折目部に開口爪５を挿入して、持手部１をそのまま手前側に引っ張るようにすれば、注ぎ口を簡単容易に開口させることができるのである。
【００１０】
【実施例】
以下に、本発明の実施例を図面に基づいて説明するが、図１〜図４は本発明の第１実施例を、図５は第２実施例を、図６は第３実施例をそれぞれ示すものである。したがってまず図１〜図４を参照して第１実施例について説明するが、この実施例の開封具は、図１，図２（イ）に示すように、帯状の持手部１と、左右一対の挾着腕部２，３と、開封板４と、持手部１に設けられた開口爪５から構成され、且つ透明な合成樹脂によってほぼ十手状に形成されたものである。
【００１１】
持手部１と挾着腕部２，３は、図１に示すように、やや肉厚の帯板状に一体成型されていて、図における右半部を持手部１とし、左半部を挾着腕部２，３とするものであるが、その挾着腕部２，３は、前記帯板の左半部を上下に２等分して下方を欠損させ、残った部分を図示のような左右一対のアーム状に形成し、且つ一方の挾着腕部２と他方の挾着腕部３の間の空隙部に、紙パック容器２１の合掌部２２を挿入可能な構造となっているものである。また両挾着腕部２，３の横幅寸法は、図２（イ）に示すように、合掌部２２の横幅寸法よりもやや短く形成されており、それぞれの前端部２ａ，３ａが、開封作業を行なう場合の回動支点の働きを成すものである。
【００１２】
また前記持手部１の後部下面に突設された小さな鉤状の開口爪５は、缶ジュースのタブ起し具としても兼用されるもので、紙パック容器２１の開口のために使用する場合には、折合せ封止片２２ｂの中央折目部の内側に挿入して、その折合せ封止片２２ｂを外側封止片２２ａ，２２ａから引き剥がす役目を担うものである。なお本実施例ではこの開口爪５を備えた構造としているが、このような開口爪を設けない構成としてもよいことは勿論である。
【００１３】
さらに大略ナイフ状に形成され、且つその刃状部を上向きにして取付けられた開封板４は、図１および図２（ロ）に示すように、前記した挾着腕部２，３の中央直下において、その挾着腕部２，３との間に紙パック容器２１の頂部２３が介在可能な空隙部を設けて配置されるとともに、折合せ封止片２２ｂのほぼ半分程度の長さに設けられたものである。
【００１４】
なお上記した開口爪５および開封板４は、合成樹脂や金属またはその他の素材を用いて、人や物を傷つけないように配慮して形成されており、また開封板４においても、その刃状部が挾着腕部２，３の中央直下に配置されているので、本発明の開封具を幼児や高齢者、手の不自由な人などが使用した場合でも全く安全である。
【００１５】
本実施例の開封具は以上の各構成部から成るもので、透明な合成樹脂を用いて透明な製品に形成されるようになっているが、これを半透明または不透明な合成樹脂や金属によって形成するようにしても差し支えなく、また持手部１に絵柄や装飾用文字または企業名等を表示することも可能である。
【００１６】
次に、図２〜図４に基づいて本発明の開封具の使用方法を説明するが、まず図２（イ）に示すように、紙パック容器２１の注ぎ口側の合掌部２２に、前述した挾着腕部２，３を外嵌させて取付けるのである。この場合の取付状態を図２（ロ）に基づいてさらに詳しく説明すれば、接着封止された外側封止片２２ａ，２２ａと折合せ封止片２２ｂが挾着腕部２，３の間に挾挿され、また挾着腕部２，３と開封板４の間の空隙部に、屋根状の頂部２３が挾挿された状態となっており、且つ開封板４が、折合せ封止片２２ｂの下部に当接または近接した形態で設定されるようになっているのである。そして図３に示すように、挾着腕部２，３の各前端部２ａ，３ａを支点として、梃子の原理を用いて持手部１を上方向に回動させると、開封板４が封止片間の接着部分に侵入し、且つ両者を引き剥がしながら回動するので、一方の外側封止片２２ａと他方の外側封止片２２ａを左右に分離させ、また折合せ封止片２２ｂも中央の折目を境界として左右に分離させることが可能となっている。
【００１７】
上記した状態においては外側封止片２２ａと折合せ封止片２２ｂが密着状になっている場合が殆どであるので、図４に示すように、持手部１の後部が上位置になるような垂直状に持ち直し、開口爪５を折合せ封止片２２ｂの中央折目の内側に挿入して両者を引き剥がした後、そのまま外方へ向けて引っ張るようにすれば、注ぎ口を簡単容易に開口させることができる。
【００１８】
次に、図５に基づいて本発明の第２実施例について説明するが、本実施例における基本的な構造および使用方法は、前記第１実施例とほぼ同様である。すなわちこの第２実施例は、持手部１と、左右一対の挾着腕部２，３と、開封板４と、開封板４に設けられた開口爪５から構成されており、且つその全体形状を、持手部１が左右の挾着腕部２，３から右肩下がりに一体成型された大略ピストル型に形成したものである。したがって本例の開封具は、梃子の原理を用いて開封作業を行う場合に、前実施例に比較して操作し易い形態となっている。
【００１９】
また前記した第１実施例では開口爪５が持手部１の後部下面に設けられているが、本実施例においては、開封板４の前側下部に傾斜したＵ字状の切欠溝を形成し、その溝の前側の鉤状部を開口爪５として使用する形態となっている。したがって、図３のように外側封止片２２ａおよび折合せ封止片２２ｂを左右に分離させた後に、持手部１を持ち直すことなく、そのままの状態で開口爪５を中央折目に挿入することができるので、注ぎ口を迅速容易に開口することが可能となっているのである。
【００２０】
なお本実施例で採用した開口爪５を第１実施例の開封板４に形成するようにしてもよく、また挾着腕部２，３の合掌部２２への外嵌を容易とするべく、前端部２ａ，３ａをハ字状にやや開いた形状にするようにしてもよい。
【００２１】
続いて、図６を参照しながら本発明の第３実施例を説明する。本実施例の開封具は、前記第１実施例の開封具と全く同様な十手状に構成されているが、それぞれの構成部の材質や形状が第１実施例とは異なっているものである。すなわち本実施例は、剛性を有する線材を用いて形成された左右一対の挾着腕部１２，１３と、大略ナイフ状に形成された金属製の開封板１４が、丸棒状の木製持手部１１の前方に突設された構造となっており、回動支点の役目を担う前端部１２ａ，１３ａは、線材の先端を円形状に折り返して設けられているのである。また本実施例においても上述した第１実施例または第２実施例の場合と同様に、開口爪５を持手部１１の後部下面または開封板１４の前部に形成するようにしてもよいことは勿論であり、その使用方法も第１実施例または第２実施例の場合と全く同様である。
【００２２】
上述したように、本発明では梃子の原理を用いて紙パック容器を開封するように構成されているので、力の弱い幼児や高齢者、両手を自由に使用できない手障害者でも、小さな力を加えるのみで簡単容易に開封することができるようになっているのである。
【００２３】
【発明の効果】
本発明に成る紙パック容器の開封具は、梃子の原理を利用した小さな力で開封し、且つ注ぎ口を容易に開口可能に構成してあるので、幼児や高齢者、特に片手が不自由な障害者などでも簡単容易に使用することができるとともに、開封板や開口爪によって人や物が傷付かないように配慮されているので、高い安全性を保持しながら衛生的に開封することができるという極めて顕著な効果を奏するものである。また本発明品は単純な構造で大量生産が可能であり、且つ安価な素材を用いて製造するようになっているので、廉価な製品を市場に提供することができるという利点があり、さらに本発明を透明な合成樹脂で製造したり、持手部に絵柄や文字等を施すようにすれば、意匠性や美観に優れた見映えのよい商品を創出することができるという長所があるばかりでなく、開口爪を持手部に設けた場合には、缶ジュースなどのタブ起し具として兼用することもできるという長所がある。なおまた上記持手部に企業名を表示し、販売促進用品として無料配布するようにすれば、顧客は便利な生活用品を無償で入手することができ、企業は有効な宣伝を行なうことができるので、非常に有益である。
【図面の簡単な説明】
【図１】本発明の第１実施例を示す一部切欠斜視図である。
【図２】図１の開封具を紙パック容器に取付けた状態を示すもので、（イ）は一部省略正面図であり、（ロ）は一部省略側面断面図である。
【図３】紙パック容器の開封操作状態を示す一部省略斜視図である。
【図４】注ぎ口を開口させる場合の操作状態を示す一部省略斜視図である。
【図５】本発明の第２実施例を示す正面図である。
【図６】本発明の第３実施例を示す斜視図である。
【符号の説明】
１，１１・・・持手部　　　　２，３，１２，１３・・・挾着腕部
４，１４・・・開封板　　　　２ａ，３ａ，１２ａ，１３ａ・・・前端部
５・・・開口爪　　　　　　　２１・・・紙パック容器
２２・・・合掌部　　　　　　２２ａ・・・外側封止片
２２ｂ・・・折合せ封止片
【図１】
2004115122.tif 000003
【図２】
2004115122.tif 000004
【図３】
2004115122.tif 000005
【図４】
2004115122.tif 000006
【図５】
2004115122.tif 000007
【図６】
2004115122.tif 000008